(57)【要約】【課題】  安価で、感光体交換時に感光体を傷つけることなく容易に交換可能な電子写真装置を提供することを目的とする。【解決手段】  着脱可能な感光体と、前記感光体上にトナー像を現像するための現像ローラを前記感光体に近接して具備する現像装置と、前記感光体を着脱する際に、前記感光体が前記現像ローラに接触しない位置にて支持する回転可能な感光体支持部材と、前記感光体支持部材を保持するホルダを有する電子写真装置において、前記感光体支持部材と前記感光体支持部材を清掃する清掃手段を前記ホルダに設置した。【選択図】  図２
2010186096.tif 000002
【特許請求の範囲】
【請求項１】
着脱可能な感光体と、前記感光体上にトナー像を現像するための現像ローラを前記感光体に近接して具備する現像装置と、前記感光体を着脱する際に、前記感光体が前記現像ローラに接触しない位置にて支持する回転可能な感光体支持部材と、前記感光体支持部材を保持するホルダを有する電子写真装置において、
前記感光体支持部材と前記感光体支持部材を清掃する清掃手段を前記ホルダに設置したことを特徴とする電子写真装置。
【請求項２】
前記感光体支持部材はローラであって、前記清掃部材は弾性部材であって、前記感光体支持部材と前記清掃部材とが圧接して取り付けられていることを特徴とする請求項１記載の電子写真装置。
【請求項３】
前記清掃部材は連続気泡多孔質材で構成されていることを特徴とする請求項２記載の電子写真装置。
【発明の詳細な説明】
【技術分野】
【０００１】
本発明は、レーザービームプリンタなどに代表される電子写真方式を用いて画像を形成する電子写真装置に係り、特に着脱可能な感光体を有する電子写真装置に関するものである。
【背景技術】
【０００２】
電子写真装置は、光導電性を有する感光体に光を照射して形成した感光体上の潜像を、現像機にて現像を行ないトナー像を形成し、転写、定着プロセスを経て画像を形成するように構成されている。また、電子写真装置は、感光体上のトナー像を記録紙などに転写した後の感光体上の残留トナーを清掃するための清掃部材を備えている。通常、清掃部材は、円筒の表面にポリアミド樹脂製のブラシを接着したクリーニングブラシなどが用いられる。感光体は印刷動作を行なうにつれて、これら清掃部材や記録紙との摺擦による機械的疲労や、帯電、露光、除電の繰り返しによる電気的疲労などから定期的な交換が必要であり、電子写真装置は感光体が容易に着脱可能な構成が必要とされる。
【０００３】
電子写真装置の現像装置において、感光体上にトナー像を形成する部位（一般的に現像ローラ）は、高品質な画像を得るために、感光体に極めて近接することは一般的である。このため、電子写真装置においては、感光体を着脱する際に近接した現像ローラに感光体が接触して感光体が損傷する恐れがあるため、感光体の着脱作業は熟練した技術を持つサービスマンが行なっていた。
【０００４】
しかしながら、近年、電子写真装置においては、ランニングコスト低減のため、電子写真装置の保守メンテナンスをサービスマンでなくユーザー自身で行なうことが望まれており、電子写真装置の各部位において定期交換部品の交換作業を簡素化するための改良が進められている。
【０００５】
感光体においては、着脱する際に上記の如く感光体が損傷しないように保護する手段として、交換作業時に電子写真装置本体に設けたゴムなどの弾性体で構成された弾性ローラを、現像ローラに比べて感光体により近接した位置に設け、弾性ローラによって感光体を直接支持し、感光体と現像ローラとの間に隙間を設けることで感光体の損傷を防止する方法や、交換作業時に感光体を保護する保護カバーを設ける方法がある。例えば、後者の方法については、特許第３４７３８０６号公報に記載されている。
【発明の概要】
【発明が解決しようとする課題】
【０００６】
しかしながら、特許第３４７３８０６号公報に記載された電子写真装置においては、感光体１つ１つに保護シートを設けなければならないため、コストがかかるといった問題や、電子写真装置に感光体を装填した後に感光体から保護シートを引き剥がす手間や引き剥がした保護シートを捨てる手間が必要であるといった問題があった。
【０００７】
また、上記した前者の方法については、感光体印刷動作中に現像装置内から飛散したトナー、金属粉や、感光体交換作業中に電子写真装置より取り出した使用済の感光体に付着しているトナー、金属粉が電子写真装置に設けた弾性ローラに付着する恐れがある。新しい感光体を電子写真装置に取り付ける際に、上記の如く弾性ローラに付着したトナー、金属粉によって新しい感光体が損傷するおそれがあった。
【０００８】
本発明は、上記した従来技術の問題を鑑みてなされたものであり、安価で、感光体交換時に感光体を傷つけることなく交換可能な電子写真装置を提供することを目的とする。
【課題を解決するための手段】
【０００９】
上記目的を達成するために、本発明の第１の手段は、着脱可能な感光体と、前記感光体上にトナー像を現像するための現像ローラを前記感光体に近接して具備する現像装置と、前記感光体を着脱する際に、前記感光体が前記現像ローラに接触しない位置にて支持する回転可能な感光体支持部材と、前記感光体支持部材を保持するホルダを有する電子写真装置において、前記感光体支持部材と前記感光体支持部材を清掃する清掃手段を前記ホルダに設置したことを特徴とするものである。
【００１０】
本発明の第２の手段は前記第１の手段において、前記感光体支持部材はローラであって、前記清掃部材は弾性部材であって、前記感光体支持部材と前記清掃部材とが圧接して取り付けられていることを特徴とするものである。
【００１１】
本発明の第３の手段は前記第２の手段において、前記清掃部材は連続気泡多孔質材で構成されていることを特徴とするものである。
【発明の効果】
【００１２】
本発明によれば、着脱可能な感光体と、感光体上にトナー像を現像する現像ローラを感光体に近接して具備する現像装置と、感光体を着脱する際に、感光体を現像ローラに接触しない位置にて支持する回転可能な感光体支持部材とを有する電子写真装置において、前記感光体支持部材と前記感光体支持部材を清掃する清掃手段を前記ホルダに設置し、前記清掃手段を連続気泡多孔質材より構成することで、安価で、感光体交換時に感光体表面を傷つけることなく交換可能な電子写真装置を提供することができる。
【００１３】
また、前記感光体支持部材と前記清掃手段が共に前記ホルダに取り付けられているため、長期使用により前記感光体支持部材が劣化し、交換の必要性が発生した場合、前記感光体支持部材と共に前記清掃手段も同時に交換でき、前記感光体支持部材に対する前記清掃手段の位置調整が不要であるため、保守交換性が向上する。
【図面の簡単な説明】
【００１４】
【図１】本発明の実施例に係る電子写真装置の感光体周辺の概略構成図である。
【図２】本発明の実施例に係る感光体支持部材の拡大図である。
【発明を実施するための形態】
【００１５】
本発明の実施例について図を用いて説明する。
【００１６】
図１は、着脱可能な感光体を有する電子写真装置の感光体周辺の構成を示す。図１に示すように電子写真装置の感光体１周辺は、感光体上にトナー像を形成する現像ローラ２を有する現像機３、トナー像を記録紙に転写する転写器４、感光体１表面の除帯電を行なう除電器５および帯電器６、感光体１表面を清掃する清掃器７によって構成される。
【００１７】
感光体１は、電子写真装置本体に設けられた感光体支持シャフト８に回転可能に支持され、片手で容易に着脱が可能な固定ノブ９によって固定されている。感光体１の最下点を挟んで対向した位置には、弾性体の弾性ローラ１０が現像ローラ２よりも感光体１に近接した位置となるように２箇所設けられている。
【００１８】
感光体１を着脱する際には、固定ノブ９を外し感光体支持シャフト８に沿って感光体１を引き出す。電子写真装置より引き出された感光体１の一端が、弾性ローラ１０によって支持され、感光体１は現像ローラ２と一定の隙間を保ちながら引き出されるため、現像ローラ２との接触により感光体の表面を傷つけることはない。
【００１９】
図２に示すように弾性ローラ１０は、ホルダ１１にローラ支持シャフト１２を介して回転可能に保持されており、さらに、弾性持ローラ１０下部には、弾性ローラ１０の表面に圧接するよう連続気泡多孔質材のローラ清掃部材１３が設けられている。
【００２０】
長期の使用により劣化した感光体１を電子写真装置より着脱する際には、弾性ローラ１０は感光体１との摩擦により、常に表面を感光体１に接触させながらローラ支持シャフト１２を軸に回転する。感光体１と接触した弾性ローラ１０の表面は、感光体１の表面に付着していたトナーや金属粉が付着するが、トナー、金属粉などの付着物は、弾性ローラ１０の下部に設けられたローラ清掃部材１３によって清掃される。ローラ清掃部材１３により除去されたトナーや金属粉は、連続気泡多孔質材であるローラ清掃部材１３の連続した気泡内に収容されるため、電子写真装置を不要に汚さずに作業を行なうことが可能である。この連続気泡多孔質材としては、例えばスポンジ等の発泡体等が挙げられる。
【００２１】
さらに本発明においては、弾性ローラ１０とローラ清掃部材１３が共にホルダ１１に取り付けられているため、長期使用により弾性ローラ１０が劣化し、交換の必要性が発生した場合、弾性ローラ１０と共にローラ清掃部材１３も同時に交換でき、弾性ローラ１０に対するローラ清掃部材１３の位置調整が不要であるため、保守交換性が良くなる。
【符号の説明】
【００２２】
１は感光体、２は現像ローラ、３は現像機、４は転写器、５は除電器、６は帯電器、７は清掃器、８は感光体支持シャフト、９は固定ノブ、１０は弾性ローラ（感光体支持部材）、１１は弾性ローラホルダ、１２弾性ローラ支持シャフト、１３はローラ清掃部材である。
【先行技術文献】
【特許文献】
【００２３】
【特許文献１】特許第３４７３８０６号公報
【図１】
2010186096.tif 000003
【図２】
2010186096.tif 000004